(57)【特許請求の範囲】
【請求項１】
脱穀機を搭載した走行機体の前方に、多条列の穀稈を刈取ると共に該刈取った穀稈を前記脱穀機に向けて搬送する前処理部を支持してなる、コンバインにおいて、
前記前処理部は、多数の引き起し装置と、
前記引き起し装置に対応して配置された多数の掻込み装置と、
少なくとも一方側及び他方側の株元搬送体、穂先搬送体及び上穂先搬送体と、を有し、
前記脱穀機の供給口から離れた側である前記一方側の上穂先搬送体は、複数個の回転体に巻回されたチェーンの駒に棒状爪を所定ピッチで取り付けた爪付きチェーンであって、前記引き起し装置により引き起された刈取り穀稈を前記穂先搬送体に遅れることなく受け取るように配置され、かつ、前記一方側の上穂先搬送体の搬送作用面が、前記一方側の穂先搬送体の搬送作用面に対して、搬送後流側が後方になるように傾斜して配置した、
ことを特徴とするコンバイン。
【請求項２】
一方側の前記引き起し装置により引き起された穀稈を受け取る部位において、前記一方側の上穂先搬送体が、前記一方側の穂先搬送体よりも一方側の掻込み装置の穀稈掻込経路の中心位置と略々前後方向の前方側へ突き出して配置されてなる、
請求項１記載のコンバイン。
【請求項３】
搬送上流側に位置する前記回転体の中心位置が、前記一方側の掻込み装置の穀稈掻込経路の中心位置と略々前後方向に整列するように配置されてなる、
請求項１又は２記載のコンバイン。
【発明の詳細な説明】
【技術分野】
【０００１】
本発明は、多条列の穀稈を刈り取って、刈り取った穀稈の株元側と穂先側とを保持して後方の脱穀機へ搬送する多条刈りのコンバインに関する。
【背景技術】
【０００２】
多条列の穀稈を刈り取って、刈り取った穀稈の株元側と穂先側とを保持して後方の脱穀機へ搬送する多条刈りのコンバインが実用化されている。一般的な多条刈りのコンバインは、穀稈の植付圃場を走行可能な走行機体の前方側に、刈刃装置を備えた前処理部を搭載し、走行機体の後方側に、刈り取った穀稈から穀粒等を分離する脱穀機を搭載している。
【０００３】
そして、前処理部は、棒状爪（タイン）を用いて地上から上方へ植立穀稈を梳き上げる（持ち上げる）引き起し装置と、刈り取った穀稈の株元と穂先側とを保持して後方の脱穀機へ搬送する搬送装置とを備えており、引き起し装置および搬送装置は、前処理部を支持する構造材を兼ねた縦伝動ケースに格納された縦伝動軸から動力を取り出して、収穫速度（走行速度）に応じた速度で駆動される。
【０００４】
特許文献１に示されるコンバインは、刈り取った穀稈の株元側をチェーン式の株元搬送体で挟持しつつ、穂先側を爪付きチェーン式（タイン式）の穂先搬送体で緩く保持して平行に搬送する。株元搬送体と穂先搬送体とは等しい速度で駆動され、搬送過程で株元搬送体と穂先搬送体との間隔を広げて穀稈の株元を株元側へ引っ張ることにより、穂先搬送体の棒状爪が穂先側へ梳き上げて穀稈を搬送方向と直角に整列させる。
【０００５】
そして、株元搬送体と穂先搬送体との間隔が狭い刈り取り位置では、穂先搬送体から上方へ突き出した穀稈の長さが長過ぎて穂先が不安定なので、穂先搬送体の上方に爪付きチェーン式の上穂先搬送体を追加して設けており、刈り取り直後の穀稈を株元から穂先まで３箇所で保持することにより、穀稈のからみや交差を減じて搬送姿勢を安定させている。穂先搬送体と上穂先搬送体とは、引き起し装置を駆動させるために縦伝動軸から引き起し装置へ向かって立ち上げた縦駆動軸によって循環駆動される。
【０００６】
特許文献２に示されるコンバインは、走行機体の進行方向右側に運転席を設け、脱穀機の穀稈受け入れ口を進行方向左側に設定しており、株元搬送体と穂先搬送体とで搬送された穀稈を受け取って脱穀機に沿って挟持搬送する脱穀フィードチェーンが走行機体の進行方向左側面に配置されている。
【０００７】
そして、進行方向右側の条列を刈り取った穀稈を搬送する右穂先搬送体が、刈り取り位置から脱穀フィードチェーンへの受け渡し位置まで一体に連続する一方、中央の条列の穀稈を搬送する中穂先搬送体と左側の条列の穀稈を搬送する左穂先搬送体とが右穂先搬送体の途中位置へＹ型に合流している。
【０００８】
特許文献３に示されるコンバインは、特許文献２と同様に、右側条列の穀稈を搬送する右穂先搬送体を脱穀フィードチェーンまで一体に連続させ、中央条列の穀稈を搬送する中穂先搬送体と左側条列の穀稈を搬送する左穂先搬送体とが右穂先搬送体の途中位置へＹ型に合流している。また、特許文献１と同様に、進行方向右側の刈り取り位置に対応させて右上穂先搬送体を設けているが、右上穂先搬送体は、内側（右から２番目）の引き起し装置から動力を取り出して駆動され、引き起し装置の背面側に配置されて、右穂先搬送体と対向させた位置関係で棒状爪による搬送を行っている。
【０００９】
【特許文献１】実開平１−１３７１２６号公報
【特許文献２】特開２０００−２２４９１２号公報
【特許文献３】特開２００４−２４１３８号公報
【発明の開示】
【発明が解決しようとする課題】
【００１０】
近年、コンバインの収穫速度（対地速度）の上昇、刈り取り条数の増大に伴って、前処理部で搬送される穀稈の時間当たり搬送量が増加して、脱穀フィードチェーンに受け渡される穀稈の整列状態を搬送過程で大きく修正することが困難になっており、前処理部で刈り取って搬送開始するまでに、穀稈の姿勢を揃えて整列状態を高めておくことが望まれている。
【００１１】
前処理部では、引き起し装置が梳き上げて姿勢を整えた穀稈を右上穂先搬送体の棒状爪で受け取るので、右上穂先搬送体の棒状爪による拘束が遅れると、穂先が垂れたり、折れ曲がったり、交差してからんだりする穀稈が増えて穀稈の穂先位置がばらつき易いので、右上穂先搬送体は、引き起し装置の拘束を離脱した穀稈を早期に保持できることが望ましい。
【００１２】
特許文献１に示される前処理部では、引き起し装置の拘束を離れた穀稈の中間高さを右穂先搬送体が速やかに拘束できるが、右上穂先搬送体が右穂先搬送体よりもかなり後方で遅れて穀稈の穂先側を拘束するため、肝心の穂先側で穂先が垂れたり、折れ曲がったり、交差してからんだりする可能性がある。
【００１３】
特許文献３に示されるコンバインは、一対の引き起し装置の間隔を穀稈の掻き込み経路として確保するとともに、右上穂先搬送体を内側の引き起し装置の背面スペースに収めて隣接状態で配置しているので、引き起し装置の拘束を離れた穀稈の穂先側を右上穂先搬送体によって比較的速やかに拘束できる。
【００１４】
しかし、右穂先搬送体と対向させた位置関係で右上穂先搬送体を循環させるため、刈り取られた穀稈の穂先側は、右上穂先搬送体の外側を大きく迂回して外側へ強く振り回され、収穫速度が増すと、穂先側に作用する遠心力が増大して穀稈が絡み合ったり損傷したりする可能性がある。右穂先搬送体と対向させた位置関係の右上穂先搬送体が刈り取られた穀稈を小さな回転半径で方向転換するため、穀稈が絡み易いという問題もある。
【００１５】
また、右上穂先搬送体を引き起し装置の背後に配置して長さにも幅に制約があるため、棒状爪（タイン）を長くして穀稈の拘束量を増すことが困難で、収穫速度の向上に対処できない。
【００１６】
ところで、特許文献１に示される前処理部は、右上穂先搬送体と右穂先搬送体とが穀稈の掻き込み経路の突き当たり位置に配置されるので、右上穂先搬送体と右穂先搬送体とは並走して穀稈を比較的安定に保持できるが、右穂先搬送体が中間位置を拘束した後に、穀稈束の穂先側を遅れて右上穂先搬送体が拘束するので、収穫速度が増すと、右上穂先搬送体の棒状爪の回転速度も速まり、右穂先搬送体に拘束された穀稈束の穂先側が右上穂先搬送体の棒状爪によって拠り合されて絡み合う可能性が出てくる。さらに、分断された穂先搬送体の間で穀稈の受け渡しが断続的であるため、収穫速度が増すと、ここでも、穀稈が損傷したり穀稈束が絡み合う可能性が出てくる。
【００１７】
本発明は、引き起し装置と右上穂先搬送体との間、および右上穂先搬送体と右穂先搬送体との間の穀稈受け渡しの連携が最適化され、刈り取り後、速やかに穀稈の配列状態を揃えて、穀稈の損傷や姿勢の乱れ少なく脱穀フィードチェーンへの受け渡しが可能なコンバインを提供することを目的としている。
【課題を解決するための手段】
【００１８】
請求項１のコンバインは、脱穀機（１２）を搭載した走行機体（１１）の前方に、多条列の穀稈を刈取ると共に該刈取った穀稈を前記脱穀機（１２）に向けて搬送する前処理部（１６）を支持してなる、コンバイン（１０）において、前記前処理部（１６）は、多数の引き起し装置（２２Ａ、２２Ｂ、２２Ｃ）と、前記引き起し装置（２２Ａ、２２Ｂ、２２Ｃ）に対応して配置された多数の掻込み装置（３３Ａ、３３Ｂ、３３Ｃ）と、少なくとも一方側及び他方側の株元搬送体（３４Ａ、３４Ｃ）、穂先搬送体（３５Ａ、３５Ｃ）及び上穂先搬送体（３６Ａ、３６Ｃ）とを有し、前記脱穀機（１２）の供給口（１８）から離れた側である前記一方側の上穂先搬送体（３６Ａ）は、複数個の回転体（３６ｐ、３６ｑ、３６ｒ）に巻回されたチェーンの駒に棒状爪を所定ピッチで取り付けた爪付きチェーンであって、前記引き起し装置（２２Ａ）により引き起された刈取り穀稈を前記一方側の穂先搬送体（３５Ａ）に遅れることなく受け取るように配置され、かつ、前記一方側の上穂先搬送体（３６Ａ）の搬送作用面が、前記一方側の穂先搬送体（３５Ａ）の搬送作用面に対して、搬送後流側が後方になるように傾斜して配置したものである。
【００１９】
請求項２のコンバインは、請求項１記載のコンバインにおいて、一方側の前記引き起し装置（２２Ａ）により引き起された穀稈を受け取る部位において、前記一方側の上穂先搬送体（３６Ａ）が、前記一方側の穂先搬送体（３５Ａ）よりも一方側の掻込み装置（３３Ａ）の穀稈掻込経路の中心位置（３３ｅ）と略々前後方向の前方側へ突き出して配置されてなるものである。
【００２０】
請求項３のコンバインは、請求項１又は２記載のコンバインにおいて、搬送上流側に位置する前記回転体（３６ｑ）の中心位置が、前記一方側の掻込み装置（３３Ａ）の穀稈掻込経路の中心位置（３３ｅ）と略々前後方向に整列するように配置されてなるものである。
【００２１】
なお、上記括弧内の符号は、図面と対照するためのものであるが、これにより特許請求の範囲に何等影響を及ぼすものではない。
【発明の効果】
【００２２】
請求項１に係る本発明によると、一方（例えば右）側の引き起し装置により引き起された刈取り穀稈は、その上穂先部分が上穂先搬送体により遅れることなく受け取られ、そして該上穂先搬送体の搬送作用面が後方に傾斜しているので、上記上穂先搬送体により受取られた穀稈は、滑らかに穂先搬送体に継続して搬送される。これにより、刈取られた穀稈は、特に遅れ易い一方側の上穂先部分も遅れることなく、一方側の各搬送体及び他方側の各搬送体等により合流されて、整然と脱穀機に供給されて、高い精度で脱穀、選別作業を行うことができる。
【００２３】
請求項２に係る本発明によると、一方側の引き起し装置により引き起された穀稈は、近接している上穂先搬送体により上穂先部分が遅れることなく受取られて、一方側の穂先搬送体及び株元搬送体と共に整然と搬送される。
【００２４】
請求項３に係る本発明によると、複数個からなる上穂先搬送体の回転体の内の搬送上流側に位置する回転体が、一方側の穀稈掻込経路の中心線と略々前後方向に整列しているので、一方側の上穂先搬送体は、一方側の掻込み装置で掻込まれて刈取られる範囲の略々全域の穀稈を搬送することができ、搬送性能を向上することができる。
【発明を実施するための最良の形態】
【００２５】
以下、図面に沿って本発明の一実施形態のコンバインを説明する。本実施形態のコンバインは、クローラ式走行装置１３を採用して、６条刈りの前処理部１６を搭載しているが、本発明のコンバインは、クローラ式以外の走行装置を採用してもよく、６条刈り以外の前処理部を搭載してもよい。
【００２６】
＜コンバイン＞
図１は本発明の一実施形態であるコンバインを側面から見た断面図、図２はコンバインの前方部分を上方から見た平面図である。図１に示すように、本実施形態のコンバイン１０の走行機体１１は、左右一対のクローラ式走行装置１３によって支持され、湿地帯や凹凸のある植付圃場でも走行可能である。走行機体１１の後部には、刈り取った穀稈から穀粒等を分離する脱穀機１２が搭載され、走行機体１１の前部には、植立穀稈を刈り取る刈刃装置３１を装備した前処理部１６が配置されている。
【００２７】
コンバイン１０の進行方向右側に片寄せて運転席１４が配置され、運転席１４の後方に、脱穀機１２で分離された穀粒等を一時貯留する不図示の貯留タンクや貯留タンクから穀粒等を外部へ取り出す不図示のオーガ（スクリュー搬送機構）等が設けられている。脱穀機１２の進行方向左側面には、刈り取った穀稈を配列状態で挟持搬送して脱穀機１２の供給口１８へ穀稈を供給する脱穀フィードチェーン１５が取り付けられている。
【００２８】
図２に示すように、前処理部１６は、３対６基の引き起し装置２２Ａ、２２Ｂ、２２Ｃを有し、引き起し装置２２Ａ、２２Ｂ、２２Ｃの前方に分草ディバイダ２１を配置している。進行方向右側の一対の引き起し装置２２Ａは、所定間隔で棒状爪２２ｎを取り付けた爪付きチェーン２２ｍを循環させて、分草ディバイダ２１で条ごとに梳き分けた植立穀稈を起立状態に梳き上げる。引き起し装置２２Ａは、一対の引き起し装置２２Ａの間隔へ棒状爪２２ｎを突出させて下から上へと移動させる一方、爪付きチェーン２２ｍの下降過程では棒状爪２２ｎをケース２２ｄの内側へ機械的に引き込む。
【００２９】
なお、中央の一対の引き起し装置２２Ｂおよび進行方向左側の一対の引き起し装置２２Ｃも同様に構成されており、同様に機能する。また、一対の引き起し装置２２Ａ、２２Ｂ、２２Ｃのうち左側のものは棒状爪２２ｎを図示略しているが、右側のものと同様に棒状爪２２ｎを備えて循環させている。そして、右側のものも棒状爪２２ｎを一部間引いて図示している。
【００３０】
＜前処理部＞
図３は前処理部の構成を示す側面から見た断面図、図４は前処理部の構成を示す平面図、図５は前処理部の各部を作動させる駆動力伝達機構の説明図である。
【００３１】
図３に示すように、前処理部１６は、その全体が伝導縦ケース４２Ｅに支持されており、軸４１ａを中心にして回動されて先端側を昇降可能である。伝導縦ケース４２Ｅの先端側には、分草ディバイダ２１および刈刃装置３１を支持するナローガイド２１ｄが取り付けられている。
【００３２】
引き起し装置２２Ａの内側には、下から、掻き込みスターホイル３２Ａ、掻き込みベルト３３Ａ、右株元搬送体３４Ａ（図３ではスプロケット）、右穂先搬送体３５Ａ、右上穂先搬送体３６Ａの各機構が配置されている。
【００３３】
図４に示すように、運転席１４の前方を横切って右株元搬送体３４Ａが配置されている。刈刃装置３１で刈り取られた穀稈は、カバー３９に持たせ掛けて穂先部分を支持されつつ、併走する右株元搬送体３４Ａ、右穂先搬送体３５Ａ、および右上穂先搬送体３６Ａによって、後方の供給口１８へ向かって搬送される。刈刃装置３１は、左右方向へ往復移動可能な一対の刈刃部材を備え、不図示の駆動機構によって一対の刈刃部材を相対移動させることにより、バリカン式に植立穀稈を刈り取る。
【００３４】
一対の掻き込みベルト３３Ａは、突出／引き込みが可能な棒状爪（掻き込み爪）を所定ピッチで取り付けた爪付き搬送ベルトを、一対の引き起し装置２２Ａの中心後方へ向かって循環させており、一対の引き起し装置２２Ａによって植付圃場に起立させた植立穀稈を一対の掻き込みスターホイル３２Ａの噛み合わせへと掻き込む。
【００３５】
掻き込みスターホイル３２Ａは、掻き込みベルト３３Ａに連動して内側後方へ向かって回転しており、左右の掻き込みベルト３３Ａが掻き寄せた２条分の植立穀稈の株元を左右から挟み込んで刈刃装置３１による刈り取りを助けるとともに、刈り取られた植立穀稈の株元を、後方へ持ち上げつつ搬送して、右株元搬送体３４Ａとガイド３４ｇの間に押し込む。
【００３６】
右株元搬送体３４Ａは、連結された駒の各プレートに穀稈断面を係止する切り込みを形成した搬送用チェーンで構成され、不図示のバネ部材によって近接方向に付勢されたガイド３４ｇとの間に穀稈の株元側を挟持してその循環方向に搬送する。
【００３７】
右穂先搬送体３５Ａは、突出／引き込みが可能な棒状爪（搬送爪）を所定ピッチで取り付けた爪付きチェーンで構成され、脱穀フィードチェーン１５（図１）へ向かう往路では棒状爪を突出させ、先端側へ向かう復路では棒状爪を引き込む。右穂先搬送体３５Ａは、右株元搬送体３４Ａと連動して循環し、右株元搬送体３４Ａによって株元側を挟持された穀稈の穂先側を棒状爪の間に緩く保持する。
【００３８】
右上穂先搬送体３６Ａもまた、突出／引き込みが可能な棒状爪（搬送爪）を所定ピッチで取り付けた爪付きチェーンで構成され、右穂先搬送体３５Ａと連動して循環し、右穂先搬送体３５Ａよりも穂先側で穀稈を緩く保持する。右穂先搬送体３５Ａと右上穂先搬送体３６Ａとは同一サイズの大きな棒状爪（搬送爪）を備えて等速度で並走して、穀稈束を緩やかに安定して保持する。
【００３９】
こぎ深さ搬送体３７は、右株元搬送体３４Ａと同様に形成された搬送用チェーン（図７参照）であって、対向配置されたガイド３８ｇとの間に穀稈の株元側を挟持してその循環方向に搬送する。こぎ深さ搬送体３７は、搬送穀稈の平面内で搬送穀稈の移動方向に対して傾斜して配置（図７参照）され、その傾斜角度が調整可能である。こぎ深さ搬送体３７は、右株元搬送体３４Ａから受け渡された穀稈を株元搬送体３８へ向かって搬送しつつ傾斜に沿って株元側へ引っ張ることにより、穀稈の傾きを減らして姿勢を揃える。
【００４０】
こぎ深さ搬送体３７は、右株元搬送体３４Ａから受け渡された穀稈をより穂先側に近い位置で株元搬送体３８に挟持させるが、その傾斜角度を変更することによって、株元搬送体３８による挟持位置から穂先までの長さ、つまり、脱穀フィードチェーン１５へ受け渡した際の穂先の位置（脱穀機１２によるこぎ深さ）を調整可能である。
【００４１】
なお、引き起し装置２２Ｂの間隔に配置された掻き込みベルト３３Ｂ、掻き込みスターホイル３２Ｂ、および引き起し装置２２Ｃの間隔に配置された掻き込みベルト３３Ｃ、掻き込みスターホイル３２Ｃは、それぞれ引き起し装置２２Ａの間隔に配置された掻き込みベルト３３Ａ、掻き込みスターホイル３２Ａと同様に構成され、同様に機能する。
【００４２】
また、中央状列の穀稈の株元を挟持搬送する中株元搬送体３４Ｂ、および左条列の穀稈の株元を挟持搬送する左株元搬送体３４Ｃは、右株元搬送体３４Ａと同様に形成して、右株元搬送体３４Ａに合流させて配置しており、それぞれのガイドとの間に挟持した穀稈を、右株元搬送体３４Ａによって搬送される穀稈に合流させる。
【００４３】
また、中央状列の穀稈の穂先側を保持して搬送する中穂先搬送体３５Ｂ、および左条列の穀稈の穂先側を保持して搬送する左穂先搬送体３５Ｃは、それぞれ右穂先搬送体３５Ａと同様に形成して、右穂先搬送体３５Ａに合流させて配置しており、それぞれの棒状爪で保持して搬送される穀稈を右穂先搬送体３５Ａによって搬送される穀稈に合流させる。
【００４４】
また、中穂先搬送体３５Ｂの上方に配置された中上穂先搬送体３６Ｂ、および左穂先搬送体３５Ｃの上方に配置された左上穂先搬送体３６Ｃは、それぞれ右上穂先搬送体３６Ａと同様に形成され、それぞれ中穂先搬送体３５Ｂ、左穂先搬送体３５Ｃに沿って穀稈の穂先側を保持搬送する。
【００４５】
ただし、右穂先搬送体３５Ａ、右上穂先搬送体３６Ａによる搬送距離は、中穂先搬送体３５Ｂ、中上穂先搬送体３６Ｂによる搬送距離や、左穂先搬送体３５Ｃ、左上穂先搬送体３６Ｃによる搬送距離に比較して長いので、それぞれの搬送速度（搬送体循環速度）は、右穂先搬送体３５Ａの搬送速度＝右上穂先搬送体３６Ａの搬送速度＞中穂先搬送体３５Ｂの搬送速度＝中上穂先搬送体３６Ｂの搬送速度＞左穂先搬送体３５Ｃの搬送速度＝左上穂先搬送体３６Ｃの搬送速度の関係に設定して、刈刃装置３１によって同時に刈り取られた穀稈が、中穂先搬送体３５Ｂ、左穂先搬送体３５Ｃによって右穂先搬送体３５Ａの同じ位置に合流するようにしている。
【００４６】
図５に示すように、駆動入力プーリー４１には、不図示のトランスミッションから収穫速度（対地速度）に追従した回転速度の駆動力が入力され、引き起し装置２２Ａ、２２Ｂ、２２Ｃによる引き起し、掻き込みベルト３３Ａ、３３Ｂ、３３Ｃによる掻き込み、掻き込みスターホイル３２Ａ、３２Ｂ、３２Ｃによる挟み込み等を収穫速度に同調させている。駆動入力プーリー４１に伝達された駆動力は、伝動縦ケース４２Ｅ（図３）に収納された縦伝動軸４２から、傘歯車機構によって、伝動横ケース４３Ｅ（図３）に収納された水平伝導軸４３へ伝達され、往復運動に変換されて刈刃装置３１を駆動する。
【００４７】
水平伝動軸４３の回転は、伝動縦ケース４４Ｅ（図３）に収納された縦伝動軸４４から、傘歯車機構によって、伝動横ケース（図３）４５Ｅに収納された水平伝動軸４５へ伝達され、水平伝動軸４５の回転が、それぞれの傘歯車機構を経て、３対６基の引き起し装置２２Ａ、２２Ｂ、２２Ｃへ分配される。
【００４８】
縦伝動軸４４の回転は、分岐軸４７を経て、左株元搬送体３４Ｃ、左穂先搬送体３５Ｃ、左上穂先搬送体３６Ｃを駆動する。循環する左株元搬送体３４Ｃは、掻き込みスターホイル３２Ｃを回転させ、相互に噛み合う掻き込みスターホイル３２Ｂ、３２Ｃを一体に回転させる。それぞれの掻き込みスターホイル３２Ｂ、３２Ｃの回転軸に取り付けたプーリー３３ｅによって掻き込みベルト３３Ｂ、３３Ｃが駆動される。
【００４９】
一方、縦伝動軸４２の回転は、分岐軸４６を経て中株元搬送体３４Ｂ、中穂先搬送体３５Ｂ、中上穂先搬送体３６Ｂを駆動するとともに、分岐軸４９を経て右株元搬送体３４Ａおよびこぎ深さ搬送体３７を駆動する。循環する中株元搬送体３４Ｂは、噛み合う一対の掻き込みスターホイル３２Ａを回転させ、掻き込みスターホイル３２Ａと同軸配置したプーリー３３ｅによって掻き込みベルト３３Ａを循環させる。
【００５０】
また、縦伝動軸４２の回転は、根元側の分岐軸４８を経て株元搬送体３８と右穂先搬送体３５Ａとを駆動して循環させる。循環する右穂先搬送体３５Ａは、従動軸３６ｆを経て駆動スプロケット３６ｐを回転させ、右上穂先搬送体３６Ａを循環させる。
【００５１】
＜右上穂先搬送体＞
図６は右上穂先搬送体の駆動系を側面側から見た斜視図、図７は右上穂先搬送体の駆動系を正面側から見た斜視図、図８は右上穂先搬送体の拡大された平面図である。図６〜図８では、機構の理解を容易にすべく、各搬送体、スプロケット、軸、棒状爪の一部の図示を省略している。
【００５２】
図６に示すように、伝動縦ケース４２Ｅに収納された縦伝動軸４２（図５）の回転は、駆動軸３５ｆを経て駆動スプロケット３５ｅを回転させて、右穂先搬送体３５Ａを循環させる。循環する右穂先搬送体３５Ａは、従動スプロケット３５ｄを経て従動軸３６ｆを回転させて、右上穂先搬送体３６Ａを循環させる。
【００５３】
伝動縦ケース４２Ｅに収納された縦伝動軸４２（図５）の回転は、分岐ケース４９Ｅに収納された分岐軸４９（図５）を経て右株元搬送体３４Ａを循環させる。循環する右株元搬送体３４Ａは、従動スプロケット３４ｄを経て掻き込みスターホイル３２Ａおよび掻き込みベルト３３Ａを駆動する。
【００５４】
図７に示すように、右穂先搬送体３５Ａの従動スプロケット３５ｄは、従動軸３６ｆによって右上穂先搬送体３６Ａの駆動スプロケット３６ｐと連結されており、右穂先搬送体３５Ａが循環すると、駆動スプロケット３６ｐが回転して右上穂先搬送体３６Ａを循環させる。
【００５５】
図８に示すように、一対の掻き込みベルト３３Ａは、掻き込み中心３３ｉへ向かって穀稈を掻き込む。掻き込まれた穀稈は、一対の掻き込みスターホイル３２Ａの噛み合わせで保持されて株元側を刈刃装置３１によって切断される。
【００５６】
右上穂先搬送体３６Ａは、突出・引き込みが可能な棒状爪３６ｎをチェーン３６ｍの駒に所定ピッチで取り付けた爪付きチェーンである。右上穂先搬送体３６Ａの棒状爪３６ｎは、対向配置されたガイド３６ｇと共働して穀稈を掻き込み、束ねて受け取る。チェーン３６ｍは、駆動スプロケット３６ｐ、テンションスプロケット３６ｒ、およびアイドルスプロケット３６ｑに掛け回されている。
【００５７】
テンションスプロケット３６ｒは、不図示の付勢機構によって外側へ付勢されてチェーン３６ｍに張力を付与する。アイドルスプロケット３６ｑは、掻き込み中心３３ｉの後方に位置し、駆動スプロケット３６ｐよりも大きく前方へ突き出し、穂先搬送体３５Ａの搬送面よりもさらに前方に配置される。一方、テンションスプロケット３６ｒは、穂先搬送体３５Ａの搬送面よりも後方へ後退させて配置される。
【００５８】
従って、図３に示すように、一対の引き起こし装置２２Ａの間隔の中心線上では、右上穂先搬送体３６Ａが右穂先搬送体３５Ａよりも前方へ突出して配置され、掻き込みベルト３３Ａによって掻き込まれた穀稈は、一対の引き起こし装置２２Ａによる支持を失う前に（または一対の引き起こし装置２２Ａの支持から離脱した直後に）右上穂先搬送体３６Ａによって穂先側の高い位置を保持され、その後（またはほぼ同時に）、その中間高さ位置を穂先搬送体３５Ａによって保持される。
【００５９】
本実施形態のコンバイン１０では、進行方向右側の引き起し装置２２Ａにより引き起された植立穀稈が掻き込みベルト３３Ａによって掻き込まれて刈刃装置３１によって刈り取られ、刈り取られた穀稈は、右穂先搬送体３５Ａよりも前方に位置させた右上穂先搬送体３６Ａによって、その上穂先部分が遅れることなく受け取られる。
【００６０】
そして、右上穂先搬送体３６Ａのチェーン３６ｍが後方に傾斜しているので、右上穂先搬送体３６Ａにより受取られた穀稈は、滑らかに穂先搬送体３５Ａに継続して搬送される。これにより、刈り取られた穀稈は、特に遅れ易い進行方向右側の上穂先部分も遅れることなく、中穂先搬送体３５Ｂ、左穂先搬送体３５Ｃによって搬送される穀稈と合流されて、整然と脱穀機１２に供給されることとなり、脱穀機１２では、高い精度で脱穀、選別作業を行うことができる。
【００６１】
また、進行方向右側の引き起し装置２２Ａにより引き起された穀稈は、近接している右上穂先搬送体３６Ａにより上穂先部分が遅れることなく受取られて、循環する右穂先搬送体３５Ａ及び右株元搬送体３４Ａによって整然と搬送される。
【００６２】
また、右上穂先搬送体３６Ａのみならず、中上穂先搬送体３６Ｂ、左穂先搬送体３６Ｃについてもアイドルスプロケット３６ｑ等の回転体が掻き込み中心３３ｉの後方に整列しているので、右穂先搬送体３５Ａは、掻込み装置３３Ａで掻き込まれてＣで掻き込まれて刈取られる範囲の略々全域の穀稈、をそれぞれ搬送でき、搬送性能を向上することができる。
【００６３】
また、右穂先搬送体３５Ａと右上穂先搬送体３６Ａとが掻き込み経路の突き当たりで並走して穀稈を拘束するので、対向位置でばらばらに拘束する特許文献３の前処理部に比較して円滑な搬送が開始される。
【００６４】
また、右上穂先搬送体３６Ａは、駆動スプロケット３６ｐ、テンションスプロケット３６ｒ、アイドルスプロケット３６ｑに掛け回して配置され、アイドルスプロケット３６ｑを前方へ位置させて、それでなくても長い棒状爪(搬送爪）を引き起し装置２２Ａの間隔に突き出すように循環させるので、直線的に循環させる場合に比較して、穀稈を挟み込むことがない安全な循環位置を引き起し装置２２Ａの間隔により近づけることができる。
【００６５】
また、特許文献１に示される前処理部よりも穂先搬送体３５Ａを後方にずらせて、右上穂先搬送体３６Ａと株元搬送体３４Ａとで保持した中間位置を少し遅れて穂先搬送体３５Ａにより保持させるので、穂先搬送体が上穂先搬送体よりも先行して穀稈を保持させる搬送機構に比較して、搬送される穀稈の姿勢が直線的となり、穂先の垂れ下がり、折れ曲がり、からみ付き等を減らして、穀稈の直立状態、整列状態が改善される。
【００６６】
また、前処理部１６を駆動する縦伝動軸４２の根元側から動力を取り出して右上穂先搬送体３６Ａを駆動するので、縦伝動軸４２の下流側の駆動機構は、右上穂先搬送体３６Ａの負荷を受けなくて済み、長い棒状爪(搬送爪）を用いた先行的な保持によって右上穂先搬送体３６Ａが増大するにもかかわらず、各駆動軸や軸ケース、傘歯車や歯車ケースを小型化して、伝達効率の高い軽量小型の駆動系を設計できる。長い棒状爪(搬送爪）を用いることにより、短い棒状爪(搬送爪）しか使えない特許文献３の前処理部に比較して、収穫速度の向上への対応が容易である。
【００６７】
また、特許文献２、特許文献３では従動循環して搬送を担う作業部材に過ぎない右穂先搬送体３５Ａを駆動力伝達部材に兼用して、右上穂先搬送体３６Ａを駆動させるので、縦伝動軸４２に新たな動力分岐を追加することなく、また、専用の動力伝達部材を追加することなく、駆動力伝達系の全体を構成して、部品点数を減らすとともに、高効率に運転させることができる。
【図面の簡単な説明】
【００６８】
【図１】本発明の一実施形態であるコンバインを側面から見た断面図である
【図２】コンバインの前方部分を上方から見た平面図である。
【図３】前処理部の構成を示す側面から見た断面図である。
【図４】前処理部の構成を示す平面図である。
【図５】前処理部の各部を作動させる駆動力伝達機構の説明図である
【図６】右上穂先搬送体の駆動系を側面側から見た斜視図である。
【図７】右上穂先搬送体の駆動系を正面側から見た斜視図である。
【図８】右上穂先搬送体の拡大された平面図である。
【符号の説明】
【００６９】
１０  コンバイン
１１  走行機体
１２  脱穀機
１６  前処理部
１８  供給口
２２Ａ、２２Ｂ、２２Ｃ  引き起し装置
３３Ａ、３３Ｂ、３３Ｃ  掻き込み装置（掻き込みベルト）
３３ｅ  中心位置（掻き込み中心）
３４Ａ、３４Ｂ、３４Ｃ  株元搬送体（右株元搬送体、中株元搬送体、左株元搬送体）
３５Ａ  一方側の穂先搬送体（右穂先搬送体）
３６Ａ  一方側の上穂先搬送体（右上穂先搬送体）
３５Ｂ  中穂先搬送体
３６Ｂ  中上穂先搬送体
３５Ｃ  左穂先搬送体
３６Ｃ  左上穂先搬送体  
３６ｐ、３６ｑ、３６ｒ  複数個の回転体（駆動スプロケット、アイドルスプロケット、テンションスプロケット）
【図１】
0004530924.tif 000002
【図２】
0004530924.tif 000003
【図３】
0004530924.tif 000004
【図４】
0004530924.tif 000005
【図５】
0004530924.tif 000006
【図６】
0004530924.tif 000007
【図７】
0004530924.tif 000008
【図８】
0004530924.tif 000009